(57)【要約】      （修正有）【課題】炭素繊維回收装置を提供する。【解決手段】炭素繊維回收装置１は、マイクロウェーブを運用し、炭素繊維高分子複合材料中から炭素繊維を回収する。炭素繊維回收装置１は、少なくとも１個のマイクロウェーブ供給ユニットと少なくとも１個のチャンバー１２を有する。マイクロウェーブを炭素繊維高分子複合材料２に放射することで、炭素繊維はマイクロウェーブエネルギーを急速に吸収し、温度の急上昇を達成し、これにより効果的に熱分解し、大部分の炭素繊維高分子複合材料２の高分子基材を除去し、炭素繊維回収の目的が確実に達成される。【選択図】図２
2019123849.tif 000002
【特許請求の範囲】
【請求項１】
炭素繊維高分子複合材料中からの第一炭素繊維の回収に適用される炭素繊維回收装置であって、
前記炭素繊維高分子複合材料は、高分子基材及び前記第一炭素繊維を有し、前記高分子基材は、前記第一炭素繊維と結合し、前記第一炭素繊維は、第一炭素繊維長軸方向を有し、
前記炭素繊維回收装置は、少なくとも１個の第一マイクロウェーブ供給ユニット及び少なくとも１個のチャンバーを有し、
前記第一マイクロウェーブ供給ユニットは、第一マイクロウェーブを生成でき、前記第一マイクロウェーブは、第一マイクロウェーブ方向を有し、前記第一マイクロウェーブは、前記チャンバーの内部へと伝えられ、
前記第一マイクロウェーブは、第一電場を有し、前記第一電場は、前記チャンバーの内部において、第一電場方向を有し、前記第一マイクロウェーブ方向と前記第一電場方向は互いに直交し、
前記第一炭素繊維長軸方向と前記第一マイクロウェーブ方向は互いに直交し、或いは前記第一炭素繊維長軸方向と前記第一電場方向は互いに平行である
ことを特徴とする、
炭素繊維回收装置。
【請求項２】
前記第一炭素繊維長軸方向と前記第一電場方向は、互いに平行である
ことを特徴とする、
請求項１に記載の炭素繊維回收装置。
【請求項３】
前記チャンバーは、チャンバー長軸方向を有し、
前記チャンバー長軸方向、前記第一電場方向及び前記第一炭素繊維長軸方向は、互いに平行である
ことを特徴とする、
請求項２に記載の炭素繊維回收装置。
【請求項４】
前記第一マイクロウェーブは、第一磁場を有し、前記第一磁場は、前記チャンバーの内部において、第一磁場方向を有し、前記第一炭素繊維長軸方向と前記第一磁場方向は、互いに直交する
ことを特徴とする、
請求項２に記載の炭素繊維回收装置。
【請求項５】
前記チャンバーの内部には、収容設置空間が設けられ、
前記収容設置空間には中空管体が設置され、
前記中空管体の内部中空部分には、管体収容設置空間が設けられ、前記炭素繊維高分子複合材料は、前記管体収容設置空間に置くことができる
ことを特徴とする、
請求項２に記載の炭素繊維回收装置。
【請求項６】
前記中空管体は、マイクロウェーブが貫通可能な材質により製造される
ことを特徴とする、
請求項５に記載の炭素繊維回收装置。
【請求項７】
前記中空管体は、石英管、水晶管或いはガラス管である
ことを特徴とする、
請求項６に記載の炭素繊維回收装置。
【請求項８】
前記チャンバーは、金属チャンバーである
ことを特徴とする、
請求項２に記載の炭素繊維回收装置。
【請求項９】
前記第一マイクロウェーブ供給ユニットは、第一マイクロウェーブ源及び第一導波管を有し、
前記第一導波管の一端は、前記第一マイクロウェーブ源と連結し、前記第一導波管の他端は、前記チャンバーと連結する
ことを特徴とする、
請求項２に記載の炭素繊維回收装置。
【請求項１０】
前記炭素繊維回收装置は、凝結装置を有し、前記チャンバーと前記凝結装置は、相互に連通する
ことを特徴とする、
請求項２に記載の炭素繊維回收装置。
【請求項１１】
前記炭素繊維回收装置は、第二マイクロウェーブ供給ユニットを有し、
前記第二マイクロウェーブ供給ユニットは、第二マイクロウェーブを生成でき、前記第二マイクロウェーブは、前記チャンバーの内部へと伝えられ、
前記第二マイクロウェーブは、第二電場を有し、前記第二電場は、第二電場方向を有し、前記第二電場方向は、前記第一電場方向と直交する
ことを特徴とする、
請求項２に記載の炭素繊維回收装置。
【請求項１２】
前記チャンバーは、チャンバー長軸方向を有し、
前記第一マイクロウェーブ供給ユニット及び前記第二マイクロウェーブ供給ユニットは、前記チャンバー長軸方向に沿って、順番に配列される
ことを特徴とする、
請求項１１に記載の炭素繊維回收装置。
【請求項１３】
前記チャンバーは、チャンバー長軸方向を有し、前記第一電場方向と前記チャンバー長軸方向との間は、傾斜角を呈し、
前記傾斜角は、０度より大きく、且つ、９０度より小さいか等しい
ことを特徴とする、
請求項２に記載の炭素繊維回收装置。
【請求項１４】
前記チャンバーは、中空円柱体である
ことを特徴とする、
請求項２に記載の炭素繊維回收装置。
【請求項１５】
前記チャンバーは、中空多角柱体を呈する
ことを特徴とする、
請求項１１に記載の炭素繊維回收装置。
【請求項１６】
前記チャンバーは、チャンバー長軸方向を有し、前記中空多角柱体の外周囲は、複数の外表面により構成され、前記第一マイクロウェーブ供給ユニット及び前記第二マイクロウェーブ供給ユニットは、前記チャンバー長軸方向に沿って、前記中空多角柱体の内の１個の前記外表面に順番に配列される
ことを特徴とする、
請求項１５に記載の炭素繊維回收装置。
【請求項１７】
前記チャンバーは、チャンバー長軸方向を有し、
前記中空多角柱体の外周囲は、複数の外表面により構成され、複数の前記外表面の内の２個の前記外表面は、それぞれ第一外表面及び第二外表面であり、前記第一外表面及び前記第二外表面は、１個の前記第一マイクロウェーブ供給ユニット及び１個の前記第二マイクロウェーブ供給ユニットをそれぞれ有し、
前記第一マイクロウェーブ供給ユニット及び前記第二マイクロウェーブ供給ユニットは、前記チャンバー長軸方向に沿って、順番に配列され、
前記第一外表面の前記第一マイクロウェーブ供給ユニットと前記第二外表面の前記第一マイクロウェーブ供給ユニットは、同一の高度にはなく、且つ、前記第一外表面の前記第二マイクロウェーブ供給ユニットと前記第二外表面の前記第二マイクロウェーブ供給ユニットは、同一の高度にはない
ことを特徴とする、
請求項１５に記載の炭素繊維回收装置。
【請求項１８】
前記第一外表面及び前記第二外表面は、相互に隣り合う
ことを特徴とする、
請求項１７に記載の炭素繊維回收装置。
【請求項１９】
前記チャンバーは、チャンバー長軸方向を有し、
前記中空多角柱体の外周囲は、複数の外表面により構成され、複数の前記外表面の内の２個の前記外表面は、それぞれ第一外表面及び第二外表面であり、前記第一外表面及び前記第二外表面は、１個の前記第一マイクロウェーブ供給ユニット及び１個の前記第二マイクロウェーブ供給ユニットをそれぞれ有し、
前記第一マイクロウェーブ供給ユニット及び前記第二マイクロウェーブ供給ユニットは、前記チャンバー長軸方向に沿って、順番に配列され、
前記第一外表面の前記第一マイクロウェーブ供給ユニットと前記第二外表面の前記第二マイクロウェーブ供給ユニットは、同一の高度にあり、且つ、前記第一外表面の前記第二マイクロウェーブ供給ユニットと前記第二外表面の前記第一マイクロウェーブ供給ユニットは、同一の高度にある
ことを特徴とする、
請求項１５に記載の炭素繊維回收装置。
【請求項２０】
前記第一外表面及び前記第二外表面は、相互に隣り合う
ことを特徴とする、
請求項１９に記載の炭素繊維回收装置。
【請求項２１】
前記中空多角柱体の外周囲は、複数の外表面により構成され、複数の前記外表面中の前記各外表面は、１個の前記第一マイクロウェーブ供給ユニット及び１個の前記第二マイクロウェーブ供給ユニットをそれぞれ有し、
任意の２個の隣り合う前記外表面の内の１個の前記外表面の前記第一マイクロウェーブ供給ユニットともう１個の前記外表面の前記第一マイクロウェーブ供給ユニットは、同一の高度にない
ことを特徴とする、
請求項１５に記載の炭素繊維回收装置。
【請求項２２】
前記中空多角柱体の外周囲は、複数の外表面により構成され、複数の前記外表面中の前記各外表面は、１個の前記第一マイクロウェーブ供給ユニット及び１個の前記第二マイクロウェーブ供給ユニットをそれぞれ有し、
任意の２個の隣り合う外表面の内の１個の前記外表面の前記第一マイクロウェーブ供給ユニットともう１個の前記外表面の前記第二マイクロウェーブ供給ユニットは、同一の高度にある
ことを特徴とする、
請求項１５に記載の炭素繊維回收装置。
【請求項２３】
前記中空多角柱体の外周囲は、複数の外表面により構成され、複数の前記外表面の内の２個の前記外表面は、それぞれ第一外表面及び第二外表面であり、前記第一外表面及び前記第二外表面は、相互に隣り合い、前記中空多角柱体の内周囲は、複数の内表面により構成され、複数の前記内表面は、前記第一外表面と相互に対応する第一内表面、及び、前記第二外表面と相互に対応する第二内表面を有し、前記第一外表面及び前記第二外表面間は、挟角を呈し、或いは前記第一内表面及び前記第二内表面間は、挟角を呈し、前記挟角は、６０度〜１６０度の間である
ことを特徴とする、
請求項１５に記載の炭素繊維回收装置。
【請求項２４】
前記挟角は、９０度〜１５０度の間である
ことを特徴とする、
請求項２３に記載の炭素繊維回收装置。
【請求項２５】
前記挟角は、１２０度〜１４４度の間である
ことを特徴とする、
請求項２３に記載の炭素繊維回收装置。
【請求項２６】
前記挟角は、１２０度である
ことを特徴とする、
請求項２３に記載の炭素繊維回收装置。
【発明の詳細な説明】
【技術分野】
【０００１】
本発明は炭素繊維回收装置に関し、特にマイクロウェーブを運用し、炭素繊維高分子複合材料中から炭素繊維を回収する炭素繊維回收装置に関する。
【背景技術】
【０００２】
今日、炭素繊維高分子複合材料（Ｃａｒｂｏｎ  Ｆｉｂｅｒ  Ｒｅｉｎｆｏｒｃｅｄ  Ｐｏｌｙｍｅｒ／Ｐｌａｓｔｉｃ，ＣＦＲＰ）は、航空宇宙産業、ゴルフクラブ、テニスラケット、自動車、風力発電，及び医療器械等工業領域に幅広く応用されている。
それは、炭素繊維高分子複合材料が、高強度、高弾性モジュラス、及び優れた耐熱性と抗腐蝕性を備えるためである。
製造段階で産生する端材或いは使用寿命が尽きた廃棄製品の炭素繊維高分子複合材料等廃棄物には、処理の問題が存在する。
炭素繊維高分子複合材料は、燃焼の方式を使用しても、樹脂しか取り除けず、炭素繊維はなお残留する。
よって、炭素繊維高分子複合材料の廃棄物は、通常、不可燃固体廃棄物として埋め立て方式により処理されている。
しかし、埋め立て方式は、土地資源の浪費と周辺環境の悪化を招く。
この他、炭素繊維高分子複合材料内部には、高価値の炭素繊維を含んでおり、埋め立て方式の使用は、炭素繊維資源の大きな無駄であることは疑いもない。
【０００３】
従来の技術中には、上述の問題を解決する多くの方法が提供されている。
それらは主に、炭素繊維高分子複合材料中の高分子を分解し、これにより、その中の炭素繊維は分離され、炭素繊維回收の目的を達成する。
高分子分解の方法は、熱分解、無機強酸分解、有機溶剤分解、及び超臨界流体分解等を含む。
有機溶剤分解後にはきれいな炭素繊維を得ることができるが、回收過程では大量の有機溶剤を使用する必要があるため、環境を汚染し、しかも使用後の溶剤分離操作過程は複雑で、回收コストが高くなってしまう。
超臨界流体処理方法はクリーンで汚染ゼロの特徴を備えるが、高温高圧の反応条件下で行う必要があるため、反応設備に対する要求が高く、しかも分解後の産物と流体とは混ざりあっているため、分離しにくい。
【０００４】
従来の技術中で、工業化の可能性が最も高いのは、熱分解により、廃棄された炭素繊維高分子複合材料を処理するものである。
熱分解方法は、廃棄された炭素繊維高分子複合材料を、熱空気中において分解させるもので、この方法は、金属等異質が混在する炭素繊維高分子複合材料の処理効果がよく、しかも連続操作が可能である。
しかし、反応で得られた炭素繊維は、酸化反応が深刻で、しかも反応器或いは分離器中で激しくぶつかるため、力学性能が劣る。
よって、まったく新しいハードウェア設計により、すべての角度設置の高純度と高性能の炭素繊維を回収し、及びエネルギーインプットを大幅に低下させ、時間と人的コストを節減することが、炭素繊維回收等関連産業における開発業者と研究人員が取り組んでいる課題である。
【発明の概要】
【発明が解決しようとする課題】
【０００５】
前述の先行技術には、実際の実施時に多くの欠点がある。
【課題を解決するための手段】
【０００６】
本発明はマイクロウェーブを炭素繊維高分子複合材料中の炭素繊維に放射することで、炭素繊維はマイクロウェーブエネルギーを急速に吸収し温度急上昇の目的を達成し、これにより効果的に熱分解し、大部分の炭素繊維高分子複合材料の高分子基材を除去し、炭素繊維回収の目的を確実に達成する炭素繊維回收装置に関する。
【０００７】
本発明による炭素繊維回收装置は、炭素繊維高分子複合材料中からの第一炭素繊維の回収に適用され、該炭素繊維高分子複合材料は、高分子基材及び該第一炭素繊維を有し、該高分子基材は、該第一炭素繊維と結合し、該第一炭素繊維は、第一炭素繊維長軸方向を有する。
該炭素繊維回收装置は、少なくとも第一マイクロウェーブ供給ユニット及びチャンバーを有する。
該第一マイクロウェーブ供給ユニットは、第一マイクロウェーブを生成できる。
該第一マイクロウェーブは、第一マイクロウェーブ方向を有する。
該第一マイクロウェーブは、該チャンバーの内部へと伝えられる。
該第一マイクロウェーブは、第一電場を有し、該第一電場は、該チャンバーの内部において、第一電場方向を有する。
該第一マイクロウェーブ方向と該第一電場方向は、互いに直交する。
該第一炭素繊維長軸方向と該第一マイクロウェーブ方向は互いに直交し、或いは該第一炭素繊維長軸方向と該第一電場方向は、互いに平行である。
【０００８】
上記した炭素繊維回收装置において、該第一炭素繊維長軸方向と該第一電場方向は、互いに平行である。
【０００９】
上記した炭素繊維回收装置において、該チャンバーは、チャンバー長軸方向を有する。
該チャンバー長軸方向、該第一電場方向及び該第一炭素繊維長軸方向は、互いに平行である。
【００１０】
該第一マイクロウェーブは、第一磁場を有し、該第一磁場は、該チャンバーの内部において、第一磁場方向を有する。
上記した炭素繊維回收装置において、該第一炭素繊維長軸方向と該第一磁場方向は、互いに直交する。
【００１１】
上記した炭素繊維回收装置において、該チャンバーの内部には、収容設置空間が設けられ該収容設置空間には中空管体が設置され、該中空管体の内部中空部分には、管体収容設置空間が設けられ、該炭素繊維高分子複合材料は、該管体収容設置空間に置くことができる。
【００１２】
上記した炭素繊維回收装置において、該中空管体は、マイクロウェーブが貫通可能な材質により製造される。
【００１３】
上記した炭素繊維回收装置において、該中空管体は、石英管、水晶管或いはガラス管である。
【００１４】
上記した炭素繊維回收装置において、該チャンバーは、金属チャンバーである。
【００１５】
上記した炭素繊維回收装置において、該第一マイクロウェーブ供給ユニットは、第一マイクロウェーブ源及び第一導波管を有する。
該第一導波管の一端は、該第一マイクロウェーブ源と連結し、該第一導波管の他端は、該チャンバーと連結する。
【００１６】
上記した炭素繊維回收装置において、該炭素繊維回收装置は、凝結装置を有し、該チャンバーと該凝結装置は、相互に連通する。
【００１７】
上記した炭素繊維回收装置において、該炭素繊維回收装置は、第二マイクロウェーブ供給ユニットを有し、該第二マイクロウェーブ供給ユニットは、第二マイクロウェーブを生成でき、該第二マイクロウェーブは、該チャンバーの内部へと伝えられる。
該第二マイクロウェーブは、第二電場を有し、該第二電場は、第二電場方向を有し、該第二電場方向は、該第一電場方向と直交する。
【００１８】
上記した炭素繊維回收装置において、該チャンバーは、チャンバー長軸方向を有する。
該第一マイクロウェーブ供給ユニット及び該第二マイクロウェーブ供給ユニットは、該チャンバー長軸方向に沿って、順番に配列される。
【００１９】
上記した炭素繊維回收装置において、該チャンバーは、該チャンバー長軸方向を有し、該第一電場方向と該チャンバー長軸方向との間は、傾斜角を呈する。
【００２０】
上記した炭素繊維回收装置において、該チャンバーは、中空円柱体である。
【００２１】
上記した炭素繊維回收装置において、該チャンバーは、中空多角柱体を呈する。
【００２２】
上記した炭素繊維回收装置において、該チャンバーは、該チャンバー長軸方向を有し、該中空多角柱体の外周囲は、複数の外表面により構成され、該第一マイクロウェーブ供給ユニット及び該第二マイクロウェーブ供給ユニットは、該チャンバー長軸方向に沿って、該中空多角柱体の内の１個の該外表面に順番に配列される。
【００２３】
上記した炭素繊維回收装置において、該チャンバーは、該チャンバー長軸方向を有し、該中空多角柱体の外周囲は、複数の該外表面により構成され、複数の該外表面の内の２個の該外表面は、それぞれ第一外表面及び第二外表面で、該第一外表面及び該第二外表面は、１個の該第一マイクロウェーブ供給ユニット及び１個の該第二マイクロウェーブ供給ユニットをそれぞれ有し、しかも該第一マイクロウェーブ供給ユニット及び該第二マイクロウェーブ供給ユニットは、該チャンバー長軸方向に沿って、順番に配列される。
該第一外表面の該第一マイクロウェーブ供給ユニットと該第二外表面の該第一マイクロウェーブ供給ユニットは、同一高度になく、しかも、該第一外表面の該第二マイクロウェーブ供給ユニットと該第二外表面の該第二マイクロウェーブ供給ユニットは、同一高度にない。
【００２４】
上記した炭素繊維回收装置において、該チャンバーは、該チャンバー長軸方向を有し、該中空多角柱体の外周囲は、複数の該外表面により構成され、複数の該外表面中の２個の該外表面は、それぞれ該第一外表面及び該第二外表面で、該第一外表面及び該第二外表面は、１個の該第一マイクロウェーブ供給ユニット及び１個の該第二マイクロウェーブ供給ユニットをそれぞれ有し、しかも、該第一マイクロウェーブ供給ユニット及び該第二マイクロウェーブ供給ユニットは、該チャンバー長軸方向に沿って、順番に配列される。
該第一外表面の該第一マイクロウェーブ供給ユニットと該第二外表面の該第二マイクロウェーブ供給ユニットは、同一高度にあり、しかも、該第一外表面の該第二マイクロウェーブ供給ユニットと該第二外表面の該第一マイクロウェーブ供給ユニットは、同一高度にある。
【００２５】
上記した炭素繊維回收装置において、該中空多角柱体の外周囲は、複数の該外表面により構成され、複数の該外表面中の該各外表面は、１個の該第一マイクロウェーブ供給ユニット及び１個の該第二マイクロウェーブ供給ユニットをそれぞれ有し、しかも任意の２個の隣り合う該外表面の内の１個の該外表面の該第一マイクロウェーブ供給ユニットともう１個の該外表面の該第一マイクロウェーブ供給ユニットは、相互に同一高度にない。
【００２６】
上記した炭素繊維回收装置において、該中空多角柱体の外周囲は、複数の該外表面により構成され、複数の該外表面中の該各外表面は、１個の該第一マイクロウェーブ供給ユニット及び１個の該第二マイクロウェーブ供給ユニットをそれぞれ有し、しかも任意の２個の隣り合う外表面の内の１個の該外表面の該第一マイクロウェーブ供給ユニットともう１個の該外表面の該第二マイクロウェーブ供給ユニットは、同一高度にある。
【００２７】
上記した炭素繊維回收装置において、該中空多角柱体の外周囲は、複数の外表面により構成され、複数の該外表面中の２個の該外表面は、それぞれ該第一外表面及び該第二外表面で、該第一外表面及び該第二外表面は、相互に隣り合い、該中空多角柱体の内周囲は、複数の内表面により構成され、複数の該内表面中には、該第一外表面と相互に対応する第一内表面を有し、複数の該内表面中には、該第二外表面と相互に対応する第二内表面を有し、該第一外表面及び該第二外表面間は、挟角を呈し、或いは該第一内表面及び該第二内表面間は、挟角を呈し、該挟角は、６０度〜１６０度の間である。
【００２８】
上記した炭素繊維回收装置において、該挟角は、９０度〜１５０度の間である。
【００２９】
上記した炭素繊維回收装置において、該挟角は、１２０度〜１４４度の間である。
【００３０】
上記した炭素繊維回收装置において、該挟角は、１２０度である。
【図面の簡単な説明】
【００３１】
【図１】本発明による炭素繊維回收装置の第一実施形態の装置全体の模式図である。
【図２】本発明による炭素繊維回收装置の第一実施形態のマイクロウェーブ供給ユニットとチャンバー設置の断面図である。
【図３】本発明による炭素繊維回收装置の第一実施形態のマイクロウェーブ供給ユニットとチャンバー設置の立体模式図である。
【図４】本発明による炭素繊維回收装置の第一実施形態のマイクロウェーブ進行方向の模式図である。
【図５】本発明による炭素繊維回收装置の第二実施形態のマイクロウェーブ供給ユニットとチャンバー設置の立体模式図である。
【図６】本発明による炭素繊維回收装置の第二実施形態のマイクロウェーブ進行方向の模式図である。
【図７】本発明による炭素繊維回收装置の第三実施形態のマイクロウェーブ供給ユニットとチャンバー設置の立体模式図である。
【図８】本発明による炭素繊維回收装置の第三実施形態のマイクロウェーブ進行方向の模式図である。
【図９】本発明による炭素繊維回收装置の第四実施形態のマイクロウェーブ供給ユニットとチャンバー設置の立体模式図である。
【図１０】本発明による炭素繊維回收装置の第四実施形態のマイクロウェーブ進行方向の模式図である。
【図１１】本発明による炭素繊維回收装置の第五実施形態のマイクロウェーブ供給ユニットとチャンバー設置の立体模式図である。
【図１２】本発明による炭素繊維回收装置の第六実施形態のマイクロウェーブ供給ユニットとチャンバー設置の立体模式図である。
【発明を実施するための形態】
【００３２】
（一実施形態）
貴審査委員が本発明の技術特徴、内容、長所及びそれが達成可能な効果について理解できるよう、本発明は図を対応させ、実施形態の方式で以下の通り詳述する。
使用する図は、説明を補助するために用いるのであって、図の比率と配置により、本発明の実際実施上の範囲を限定するものではない。
【００３３】
先ず、図１〜図４に示す通り、本発明の第一実施形態の炭素繊維回收装置１は、炭素繊維高分子複合材料２中からの第一炭素繊維２１の回収に適用される。
炭素繊維高分子複合材料２は、高分子基材２４Ｐｏｌｙｍｅｒ  ｍａｔｒｉｘ）及び第一炭素繊維２１を有する。
高分子基材２４は、第一炭素繊維２１と結合する。
第一炭素繊維２１は、第一炭素繊維長軸方向Ｘを有する。
第一炭素繊維長軸方向Ｘは、第一炭素繊維２１の延伸方向である。
好ましくは、高分子基材２４は、第一炭素繊維２１を包み、第一炭素繊維２１と結合する。
好ましくは、炭素繊維高分子複合材料２は、高分子基材２４及び複数の第一炭素繊維２１を有する。
複数の第一炭素繊維２１は順番に、第一炭素繊維長軸方向Ｘに平行に配列される。
高分子基材２４は、熱固性樹脂、室温硬化樹脂或いは熱塑性プラスチックで、熱固性樹脂は、不飽和ポリエステル樹脂（Ｕｎｓａｔｕｒａｔｅｄ  Ｐｏｌｙｅｓｔｅｒ  Ｒｅｓｉｎ）、エポキシ樹脂Ｅｐｏｘｙ  Ｒｅｓｉｎ）などである。
【００３４】
本発明の炭素繊維回收装置１は、少なくとも１個の第一マイクロウェーブ供給ユニット１１及び少なくとも１個のチャンバー１２を有する。
第一マイクロウェーブ供給ユニット１１は、第一マイクロウェーブ源１１１及び第一導波管１１２を有する。
第一導波管１１２の一端は、第一マイクロウェーブ源１１１と連結し、第一導波管１１２の他端は、チャンバー１２と連結する。
第一マイクロウェーブ供給ユニット１１は、第一マイクロウェーブＭ１を生成できる。
実施時には、第一マイクロウェーブ源１１１は、第一マイクロウェーブＭ１を生成でき、第一マイクロウェーブＭ１は、第一導波管１１２を経て、第一マイクロウェーブ源１１１からチャンバー１２の内部へと伝達する。
第一マイクロウェーブＭ１は、第一電場Ｅ１及び第一磁場Ｆ１を有する。
第一マイクロウェーブＭ１は、第一マイクロウェーブ方向Ｍ１１により進入し、チャンバー１２の内部へと向かう。
第一電場Ｅ１は、チャンバー１２の内部において、第一電場方向Ｅ１１を有する。
第一磁場Ｆ１は、チャンバー１２の内部において、第一磁場方向Ｆ１１を有する。
フレミングの右手の法則（Ｆｌｅｍｉｎｇ’ｓ  Ｒｉｇｈｔ-ｈａｎｄ  ｒｕｌｅ）及び図４に示す通り、第一マイクロウェーブ方向Ｍ１１、第一電場方向Ｅ１１及び第一磁場方向Ｆ１１は、互いに直交する。
【００３５】
チャンバー１２の内部には、収容設置空間Ｓが設けられ、炭素繊維高分子複合材料２は、収容設置空間Ｓに置かれる。
しかも、チャンバー１２には、第一側壁孔洞１２１を設置し、前述の第一導波管１１２の他端と連接し、第一マイクロウェーブＭ１を、収容設置空間Ｓに伝達する。
チャンバー１２は、マイクロウェーブを反射可能な材質により製造され、例えばチャンバー１２は、金属材質により製造される金属チャンバーで、しかも、チャンバー１２は、密閉形態である。
金属反射により、第一マイクロウェーブＭ１は、第一マイクロウェーブＭ１を、収容設置空間Ｓにおいて振動させ、チャンバー１２に均一に充満させる。
さらに、金属反射により、第一マイクロウェーブＭ１は、チャンバー１２外部に位置する操作者及び他の設備を防護できる。
チャンバー１２の形状には、制限はなく、例えばチャンバー１２は、中空円柱体或いは中空多角柱体等のいずれかの形態である。
チャンバー１２は、チャンバー長軸方向ＸＡを有する。
チャンバー長軸方向ＸＡは、チャンバー１２の延伸方向で、図４に示す通り、チャンバー長軸方向ＸＡは、中空円柱体の延伸方向である。
【００３６】
実施時には、炭素繊維高分子複合材料を、収容設置空間Ｓに置く。
続いて、第一マイクロウェーブ源１１１を起動し、第一マイクロウェーブＭ１を産生する。
第一マイクロウェーブＭ１は、第一導波管１１２及び第一側壁孔洞１２１を経由して、収容設置空間Ｓに伝えられる。
こうして、第一マイクロウェーブＭ１は、炭素繊維高分子複合材料２に放射され、炭素繊維高分子複合材料２中の第一炭素繊維２１は、第一マイクロウェーブＭ１のエネルギーを吸収し、第一炭素繊維２１の温度は上昇して発熱し、第一炭素繊維２１と接触する高分子基材２４の一部は、熱を受け、熱分解されて、複数の有機小分子になり、残りの部分の高分子基材２４も、熱伝効果により、熱を受け、しかも、有機小分子に熱分解される。
【００３７】
以下が特別に発見された。
炭素繊維高分子複合材料２を置く時に、第一炭素繊維２１の第一炭素繊維長軸方向Ｘと第一マイクロウェーブ方向Ｍ１１が互いに平行なら、第一炭素繊維２１の、第一マイクロウェーブＭ１のエネルギーの吸收効果は良くなく、第一炭素繊維２１の温度は上昇せず、高分子基材２４は有機小分子に熱分解されない。
第一炭素繊維２１の第一炭素繊維長軸方向Ｘと第一マイクロウェーブ方向Ｍ１１が互いに直交するなら、第一炭素繊維２１の、第一マイクロウェーブＭ１のエネルギーに対する吸收効果は良好で、第一炭素繊維２１の温度は明確に上昇し、高分子基材２４は、有機小分子に熱分解される。
【００３８】
さらに以下が発見された。
第一炭素繊維長軸方向Ｘと第一マイクロウェーブ方向Ｍ１１が互いに直交し、もしさらに第一炭素繊維２１の第一炭素繊維長軸方向Ｘと第一電場方向Ｅ１１が互いに直交するなら、第一炭素繊維２１の、第一電場Ｅ１のエネルギーに対する吸收効果は良くなく、第一炭素繊維２１の温度は、明確な上昇はなく、高分子基材２４は、有機小分子に熱分解されない。
第一炭素繊維２１の第一炭素繊維長軸方向Ｘと第一電場方向Ｅ１１が互いに平行なら、第一炭素繊維２１の、第一電場Ｅ１のエネルギーに対する吸收効果は顕著で、第一炭素繊維２１の温度は顕著に上昇し、高分子基材２４は急速かつ大量に、有機小分子に熱分解される。
【００３９】
前述中で、チャンバー長軸方向ＸＡ、第一電場方向Ｅ１１及び第一炭素繊維長軸方向Ｘは平行形態を呈し、しかも、チャンバー長軸方向ＸＡと第一マイクロウェーブ方向Ｍ１１は互いに直交し、第一炭素繊維長軸方向Ｘと第一マイクロウェーブ方向Ｍ１１は互いに直交する。
【００４０】
前述の有機小分子は、抽気方式により、チャンバー１２の収容設置空間Ｓから、凝結装置３へと伝送される。
有機小分子は、凝結装置３により凝結補足され、これにより有機小分子は空気中に直接排出され、汚染を回避できる。
【００４１】
チャンバー１２を別に加熱しない実施形態下では、有機小分子は、チャンバー１２の壁面に凝集し易い。
これは壁面の汚染を招き、洗浄が容易でない。
よって、チャンバー１２は、中空管体１２２を、収容設置空間Ｓにさらに設置する。
中空管体１２２の内部中空部分には、管体収容設置空間Ｓ１が設けられ、炭素繊維高分子複合材料２は、管体収容設置空間Ｓ１に置かれる。
中空管体１２２は、マイクロウェーブが貫通可能な材質により製造される。
中空管体１２２は、石英管、水晶管或いはガラス管である。
これにより、有機小分子は、石英管の管壁などの中空管体１２２の管壁に凝集し、石英管の管壁の洗浄は、チャンバー１２の管壁の洗浄に比べ容易で、しかも迅速である。
さらには、一回操作後の中空管体１２２は、別のきれいな中空管体１２２と直接交換でき、製造プロセスを加速できる。
【００４２】
上述の第一実施形態は、経方向に配列される複数の第一炭素繊維２１と高分子基材２４により構成される炭素繊維高分子複合材料２、例えば経方向に相互に平行に配列される複数の第一炭素繊維２１と高分子基材２４により構成されるリボン状を呈する炭素繊維高分子複合材料２などに、特に適用される。
経方向とは、第一炭素繊維長軸方向Ｘである。
【００４３】
図５と図６に示す通り、本発明による第二実施形態では、炭素繊維回收装置１は、前述の第一実施形態の基礎の上に、第二マイクロウェーブ供給ユニット１３をさらに有する。
第二マイクロウェーブ供給ユニット１３は、第二マイクロウェーブ源１３１と第二導波管１３２により組成される。
第一マイクロウェーブ供給ユニット１１と類似し、第二導波管１３２の一端は、第二マイクロウェーブ源１３１と連結し、第二導波管１３２の他端は、チャンバー１２の第二側壁孔洞１２２と連結する。
第二マイクロウェーブ源１３１は、第二マイクロウェーブＭ２を生成でき、第二マイクロウェーブＭ２は、第二導波管１３２を経由して、第二マイクロウェーブ源１３１からチャンバー１２の第二側壁孔洞１２２及び収容設置空間Ｓへと伝えられる。
第二マイクロウェーブＭ２は、第二電場Ｅ２及び第二磁場Ｆ２を有する。
第二マイクロウェーブＭ２は、第二マイクロウェーブ方向Ｍ２１から進入し、チャンバー１２の内部（収容設置空間Ｓ）へ向かい、第二電場Ｅ２は、チャンバー１２の収容設置空間Ｓにおいて、第二電場方向Ｅ２１を有し、第二磁場Ｆ２は、チャンバー１２の収容設置空間Ｓにおいて、第二磁場方向Ｆ２１を有する。
図６に示す通り、第二マイクロウェーブ方向Ｍ２１、第二電場方向Ｅ２１及び第二磁場方向Ｆ２１は、互いに直交する。
【００４４】
前述の第一実施形態の基礎に基づき、本第二実施形態中では、炭素繊維高分子複合材料２は、第二炭素繊維２２をさらに有する。
第二炭素繊維２２は、第二炭素繊維長軸方向Ｙを有し、第二炭素繊維長軸方向Ｙは、第二炭素繊維２２の延伸方向である。
好ましくは、高分子基材２４は、第二炭素繊維２２を覆い、第二炭素繊維２２と結合する。
好ましくは、炭素繊維高分子複合材料２は、高分子基材２４及び複数の第二炭素繊維２２を有し、複数の第二炭素繊維２２は順番に、第二炭素繊維長軸方向Ｙと平行に配列される。
【００４５】
第一実施形態と類似している点は、本第二実施形態中では再記述しない。
第二炭素繊維２２の第二炭素繊維長軸方向Ｙと第二マイクロウェーブ方向Ｍ２１は互いに直交し、第二炭素繊維２２の第二炭素繊維長軸方向Ｙと第二電場方向Ｅ２１は、互いに平行である。
【００４６】
チャンバー長軸方向ＸＡと第二電場方向Ｅ２１は互いに直交し、及びチャンバー長軸方向ＸＡと第二炭素繊維長軸方向Ｙは互いに直交し、しかも、チャンバー長軸方向ＸＡと第二マイクロウェーブ方向Ｍ２１は互いに直交する。
【００４７】
第二電場方向Ｅ２１は、第一電場方向Ｅ１１と直交する。
【００４８】
上述の第二実施形態は、緯方向に配列される複数の第二炭素繊維２２と高分子基材２４により構成される炭素繊維高分子複合材料２、例えば緯方向に相互に平行に配列される複数の第二炭素繊維２２と高分子基材２４により構成されるリボン状を呈する炭素繊維高分子複合材料２などに特に適用される。
緯方向とは、第二炭素繊維長軸方向Ｙである。
【００４９】
図７と図８に示す通り、本発明第三実施形態の、第一実施形態及び第二実施形態と類似する点は、本第三実施形態中では再記述しない。
炭素繊維回收装置１は、第一マイクロウェーブ供給ユニット１１及び第二マイクロウェーブ供給ユニット１３を同時に有する。
好ましくは、第一マイクロウェーブ供給ユニット１１及び第二マイクロウェーブ供給ユニット１３は、チャンバー長軸方向ＸＡに沿って、順番に配列される。
上述の第三実施形態は、同時に、経方向及び緯方向編織を有する複数の第一炭素繊維２１、複数の第二炭素繊維２２と高分子基材２４により構成される炭素繊維高分子複合材料２、例えば、経方向及び緯方向に沿って相互に交差して編織される複数の第一炭素繊維２１、複数の第二炭素繊維２２と高分子基材２４により構成される織物状を呈する炭素繊維高分子複合材料２に、特に適用される。
【００５０】
図９と図１０に示す通り、本発明の第四実施形態は、第一実施形態中の第一マイクロウェーブ供給ユニット１１を調整し、これにより、第一電場方向Ｅ１１とチャンバー長軸方向ＸＡ間は、傾斜角θ１を呈し、傾斜角θ１の角度は、０度より大きく、しかも９０度より小さいか等しい。
第四実施形態は、炭素繊維高分子複合材料２を、チャンバー１２の内部に置く時、第一炭素繊維２１の第一炭素繊維長軸方向Ｘとチャンバー長軸方向ＸＡ間が傾斜角θ１を呈する実施形態に特に適用される。
言い換えれば、第一マイクロウェーブ供給ユニット１１は、第一マイクロウェーブＭ１を調整でき、これにより第一電場方向Ｅ１１とチャンバー長軸方向ＸＡの角度は、必要に応じて改変される。
例えば、炭素繊維高分子複合材料２をチャンバー１２の内部に置く時、先ず第一炭素繊維長軸方向Ｘとチャンバー長軸方向ＸＡの傾斜角θ１の挟角を測定或いは探知し、続いて、第一マイクロウェーブ供給ユニット１１の第一マイクロウェーブＭ１を調整し、これにより第一電場方向Ｅ１１とチャンバー長軸方向ＸＡの角度と傾斜角θ１の挟角は相同となり、こうして第一電場方向Ｅ１１と第一炭素繊維長軸方向Ｘは、互いに平行である。
よって、炭素繊維高分子複合材料２を、チャンバー１２の内部に置く時、予め、第一炭素繊維長軸方向Ｘを、チャンバー長軸方向ＸＡに合わせる必要がなく、上述の方式に基づけば、第一マイクロウェーブ供給ユニット１１を調整でき、これにより第一電場方向Ｅ１１と第一炭素繊維長軸方向Ｘは互いに平行であり、炭素繊維高分子複合材料２を、チャンバー１２の内部に置く時の利便性を増進できる。
【００５１】
これに類似し、第二マイクロウェーブ供給ユニット１３は、第二マイクロウェーブＭ２を調整でき、これにより第二電場方向Ｅ２１とチャンバー長軸方向ＸＡの挟角は、必要に応じて改変で
きる。
作動メカニズムと原理は、前述の第四実施形態と類似しているため、再記述しない。
【００５２】
図１１に示す通り、第五実施形態と第三実施形態との差異は、以下の通りである。
第五実施形態のチャンバー１２は、中空多角柱体を呈する。
中空多角柱体の外周囲は、複数の外表面Ｈにより構成され、第一マイクロウェーブ供給ユニット１１及び第二マイクロウェーブ供給ユニット１３は、チャンバー長軸方向ＸＡに沿って、中空多角柱体の内の１個の外表面Ｈに順番に配列される。
中空多角柱体は、中空三角柱体、中空四角柱体、中空五角柱体、中空六角柱体、中空七角柱体、中空八角柱体、中空九角柱体、中空十角柱体、中空十一角柱体、中空十二角柱体、中空十三角柱体、中空十四角柱体、中空十五角柱体、中空十六角柱体、中空十七角柱体、中空十八角柱体、或いは他の中空多角柱体である。
【００５３】
図１２に示す通り、第六実施形態と第五実施形態との差異は、以下の通りである。
第六実施形態の複数の外表面Ｈの内の２個の外表面Ｈは、それぞれ第一外表面Ｈ１及び第二外表面Ｈ２で、第一外表面Ｈ１及び第二外表面Ｈ２は、１個の第一マイクロウェーブ供給ユニット１１及び１個の第二マイクロウェーブ供給ユニット１３をそれぞれ有する。
しかも、第一マイクロウェーブ供給ユニット１１及び第二マイクロウェーブ供給ユニット１３は、チャンバー長軸方向ＸＡに沿って、順番に配列される。
第一外表面Ｈ１の第一マイクロウェーブ供給ユニット１１と第二外表面Ｈ２の第一マイクロウェーブ供給ユニット１１は、同一高度になく、しかも第一外表面Ｈ１の第二マイクロウェーブ供給ユニット１３と第二外表面Ｈ２の第二マイクロウェーブ供給ユニット１３は、同一高度にない。
第一外表面Ｈ１の第一マイクロウェーブ供給ユニット１１と第二外表面Ｈ２の第二マイクロウェーブ供給ユニット１３は、同一高度にあり、しかも第一外表面Ｈ１の第二マイクロウェーブ供給ユニット１３と第二外表面Ｈ２の第一マイクロウェーブ供給ユニット１１は、同一高度にある。
好ましくは、第一外表面Ｈ１及び第二外表面Ｈ２は、相互に隣り合う。
【００５４】
第一外表面Ｈ１及び第二外表面Ｈ２間は、挟角θ２を呈する。
或いは、中空多角柱体の内周囲は、複数の内表面により構成され、複数の内表面中には、第一外表面Ｈ１と相互に対応する第一内表面（図示なし）を有し、複数の内表面中には、第二外表面Ｈ２と相互に対応する第二内表面（図示なし）を有する。
第一内表面及び第二内表面間は、挟角θ２を呈する。
挟角θ２の角度は、６０度〜１６０度の間である。
好ましくは、挟角θ２の角度は、９０度〜１５０度の間で、さらに好ましくは、挟角θ２の角度は、１２０度〜１４４度の間で、最も好ましくは、挟角θ２の角度は、１２０度である。
本説明書内容及び請求項の範囲で言う数■範囲の限定は、常に端■を含むことを、ここで特に説明する。
【００５５】
当然、本発明は、複数の外表面Ｈ中の各外表面Ｈは、１個の第一マイクロウェーブ供給ユニット１１及び１個の第二マイクロウェーブ供給ユニット１３をそれぞれ有する。
しかも、任意の２個の隣り合う外表面Ｈの内の１個の外表面Ｈの第一マイクロウェーブ供給ユニット１１ともう１個の外表面Ｈの第一マイクロウェーブ供給ユニット１１は、相互に同一高度になく、任意の２個の隣り合う外表面Ｈの内の１個の外表面Ｈの第一マイクロウェーブ供給ユニット１１ともう１個の外表面Ｈの第二マイクロウェーブ供給ユニット１３は、同一高度にある。
【００５６】
上記を総合すると、本発明の炭素繊維回收装置は、上述する実施形態により、予期の使用効果を確実に達成でき、しかも本発明は申請前に未公開で、特許法の規定と要求に完全に符合している。
【００５７】
上記に掲示する図示及び説明は、本発明の実施形態に過ぎず、本発明の保護範囲を限定するものではない。
該項技術の習熟者が、本発明の特徴に範疇に基づき行う等効変化或いは修飾はすべて、本発明の設計範疇に含まれるものとする。
【００５８】
前述した本発明の実施形態は本発明を限定するものではなく、よって、本発明により保護される範囲は後述される特許請求の範囲を基準とする。
【符号の説明】
【００５９】
１  炭素繊維回收装置、
１１  第一マイクロウェーブ供給ユニット、
１１１  第一マイクロウェーブ源、
１１２  第一導波管、
１２  チャンバー、
１２１  第一側壁孔洞、
１２２  第二側壁孔洞、
１３  第二マイクロウェーブ供給ユニット、
１３１  第二マイクロウェーブ源、
１３２  第二導波管、
２  炭素繊維高分子複合材料、
２１  第一炭素繊維、
２２  第二炭素繊維、
２４  高分子基材、
３  凝結装置、
Ｅ１  第一電場、
Ｅ１１  第一電場方向、
Ｅ２  第二電場、
Ｅ２１  第二電場方向、
Ｆ１  第一磁場、
Ｆ１１  第一磁場方向、
Ｆ２  第二磁場、
Ｆ２１  第二磁場方向、
Ｈ  外表面、
Ｈ１  第一外表面、
Ｈ２  第二外表面、
Ｍ１  第一マイクロウェーブ、
Ｍ１１  第一マイクロウェーブ方向、
Ｍ２  第二マイクロウェーブ、
Ｍ２１  第二マイクロウェーブ方向、
Ｓ  収容設置空間、
Ｓ１  管体収容設置空間、
Ｘ  第一炭素繊維長軸方向、
ＸＡ  チャンバー長軸方向、
Ｙ  第二炭素繊維長軸方向、
θ１  傾斜角、
θ２  挟角。
【図１】
2019123849.tif 000003
【図２】
2019123849.tif 000004
【図３】
2019123849.tif 000005
【図４】
2019123849.tif 000006
【図５】
2019123849.tif 000007
【図６】
2019123849.tif 000008
【図７】
2019123849.tif 000009
【図８】
2019123849.tif 000010
【図９】
2019123849.tif 000011
【図１０】
2019123849.tif 000012
【図１１】
2019123849.tif 000013
【図１２】
2019123849.tif 000014